(57)【要約】【課題】架台上のベース部材に取り付けた貯蔵容器（ホッパ）からコイン状部材を送出ロータで送出する場合、送出ロータやベース部材の表面の汚れの清掃、異物が送出ロータの部分等に挟まった場合の取り除き、各部の点検修理のし易さを考慮して、各部が開放され送出ロータも取り外しとする場合、送出ロータの安定保持が得られるものとする。【解決手段】送出ロータの上端周縁部を覆うロータガイドリングがベース部材に回動にて着脱可能に保持され、貯蔵容器（ホッパ）がベース部材に回動にて開閉可能に組み合わされ、貯蔵容器（ホッパ）とロータガイドリングは、貯蔵容器（ホッパ）がベース部材に対して開状態から閉状態に回動するとき、ロータガイドリングを正規の保持状態に押して回動させる押し圧機構部を備えたこと。【選択図】図１４
2007206867.tif 000002
【特許請求の範囲】
【請求項１】
ベース部材上にコイン状部材の貯蔵容器（ホッパ）を設け、複数の分離孔を形成して前記ベース部材上に配置した送出ロータの回転によって、前記貯蔵容器（ホッパ）に収容したコイン状部材を１枚ずつ送出するコイン状部材送出装置において、前記送出ロータは前記ベース部材を貫通する電動機装置の回転軸の先端部に着脱可能に取り付けられ、前記送出ロータの上端周縁部を覆うようにロータガイドリングが前記ベース部材に回動にて着脱可能に保持され、前記貯蔵容器（ホッパ）が前記ベース部材に回動にて開閉可能に組み合わされ、前記貯蔵容器（ホッパ）と前記ロータガイドリングは、前記貯蔵容器（ホッパ）が前記ベース部材に対して開いた状態から閉じる状態に回動されるとき、前記ロータガイドリングを正規の保持状態に押して回動させる押し圧機構部を備えたことを特徴とするコイン状部材送出装置。
【請求項２】
ベース部材上にコイン状部材の貯蔵容器（ホッパ）を設け、複数の分離孔を形成して前記ベース部材上に配置した送出ロータの回転によって、前記貯蔵容器（ホッパ）に収容したコイン状部材を１枚ずつ送出するコイン状部材送出装置において、前記送出ロータは前記ベース部材を貫通する電動機装置の回転軸の先端部に着脱可能に取り付けられ、前記ベース部材は前記送出ロータの上端周縁部を覆うロータガイドリングを回動にて着脱可能に保持する係止爪部を備え、前記貯蔵容器（ホッパ）が前記ベース部材にヒンジ機構によって開閉可能に組み合わされ、前記貯蔵容器（ホッパ）と前記ロータガイドリングは、前記貯蔵容器（ホッパ）が前記ベース部材に対して開状態から閉状態に回動されるとき、前記ロータガイドリングを正規の保持状態に押して回動させる押し圧機構部を備え、前記貯蔵容器（ホッパ）が前記ベース部材に対して閉状態を保持するロック装置を設けたことを特徴とするコイン状部材送出装置。
【請求項３】
前記押し圧機構部は、前記ロータガイドリングに設けた立ち上がり傾斜部と、前記貯蔵容器（ホッパ）に設けた押し圧作用部によって構成され、前記貯蔵容器（ホッパ）が前記ベース部材に対して開いた状態から閉じる状態に回動されるとき、前記押し圧作用部が前記立ち上がり傾斜部を押し圧することを特徴とする請求項１または２に記載のコイン状部材送出装置。
【発明の詳細な説明】
【技術分野】
【０００１】
本発明は、ベース部材上にコイン状部材の収容部を設け、ベース部材上に配置した送出ロータの回転によって収容部のコイン状部材を１枚ずつ送出する送出装置に関する。
【背景技術】
【０００２】
貯蔵容器に貯留した硬貨、遊技用メダル等のコイン状部材を貯蔵容器の底部に設けたロータの回転によって１枚ずつ送出する送出装置がある。その代表的な構成として、硬貨、遊技用メダル等のコイン状部材を貯蔵する貯蔵容器（ホッパ）の底部には、電動機装置によって一方向へ回転する円盤状の送出ロータが設けられ、この送出ロータには複数の分離孔が略等間隔に同心円上に配置され、この送出ロータの回転に伴って、複数の分離孔にそれぞれコイン状部材が順次入りつつ、分離孔に入ったコイン状部材は、分離孔の底部から送出ロータの円周方向へ１枚ずつ押し出されて、貯蔵容器の側面部に形成した送出部からコイン状部材が１枚ずつ送出される。そして、この送出部には送出されるコイン状部材の通過枚数を計数する計数手段が設けられたものである。（例えば、特許文献１参照）。
【０００３】
この特許文献１のものでは、金属製の架台の上に合成樹脂製のベース部材が取り付けられ、このベース部材に送出ロータ、コイン状部材を貯蔵する貯蔵容器（ホッパ）、計数手段が取り付けられている。このような装置において、多数のコイン状部材の送出を行うことによって、貯蔵容器（ホッパ）、送出ロータ、及びベース部材の表面などが汚れるため、これらの清掃が必要である。また、異物が送出ロータの部分等に挟まった場合には、その取り除きや、各部の点検、修理の場合には、これらの各部が開放されることが必要である。しかし、一方では、送出ロータを正規状態に保持して正規の送出動作が得られるようにしなければならない。
【特許文献１】特開２００４−３１８５９５号公報
【発明の開示】
【発明が解決しようとする課題】
【０００４】
本発明は、このような点に鑑みて、ベース部材に対して貯蔵容器（ホッパ）を開くようにし、送出ロータを取り外し可能とする。そして、取り外し可能な送出ロータの回転中の飛び出しを防止して正規の回転が得られるようにし、分解性の向上と安定動作の確保が達成できるコイン状部材送出装置を提供するものである。
【課題を解決するための手段】
【０００５】
第１発明のコイン状部材送出装置は、ベース部材上にコイン状部材の貯蔵容器（ホッパ）を設け、複数の分離孔を形成して前記ベース部材上に配置した送出ロータの回転によって、前記貯蔵容器（ホッパ）に収容したコイン状部材を１枚ずつ送出するコイン状部材送出装置において、前記送出ロータは前記ベース部材を貫通する電動機装置の回転軸の先端部に着脱可能に取り付けられ、前記送出ロータの上端周縁部を覆うようにロータガイドリングが前記ベース部材に回動にて着脱可能に保持され、前記貯蔵容器（ホッパ）が前記ベース部材に回動にて開閉可能に組み合わされ、前記貯蔵容器（ホッパ）と前記ロータガイドリングは、前記貯蔵容器（ホッパ）が前記ベース部材に対して開いた状態から閉じる状態に回動されるとき、前記ロータガイドリングを正規の保持状態に押して回動させる押し圧機構部を備えたことを特徴とする。
【０００６】
第２発明のコイン状部材送出装置は、ベース部材上にコイン状部材の貯蔵容器（ホッパ）を設け、複数の分離孔を形成して前記ベース部材上に配置した送出ロータの回転によって、前記貯蔵容器（ホッパ）に収容したコイン状部材を１枚ずつ送出するコイン状部材送出装置において、前記送出ロータは前記ベース部材を貫通する電動機装置の回転軸の先端部に着脱可能に取り付けられ、前記ベース部材は前記送出ロータの上端周縁部を覆うロータガイドリングを回動にて着脱可能に保持する係止爪部を備え、前記貯蔵容器（ホッパ）が前記ベース部材にヒンジ機構によって開閉可能に組み合わされ、前記貯蔵容器（ホッパ）と前記ロータガイドリングは、前記貯蔵容器（ホッパ）が前記ベース部材に対して開状態から閉状態に回動されるとき、前記ロータガイドリングを正規の保持状態に押して回動させる押し圧機構部を備え、前記貯蔵容器（ホッパ）が前記ベース部材に対して閉状態を保持するロック装置を設けたことを特徴とする。
【０００７】
第３発明のコイン状部材送出装置は、第１発明または第２発明において、前記押し圧機構部は、前記ロータガイドリングに設けた立ち上がり傾斜部と、前記貯蔵容器（ホッパ）に設けた押し圧作用部によって構成され、前記貯蔵容器（ホッパ）が前記ベース部材に対して開いた状態から閉じる状態に回動されるとき、前記押し圧作用部が前記立ち上がり傾斜部を押し圧することを特徴とする。
【発明の効果】
【０００８】
第１発明では、回転軸に着脱可能に取り付けられた送出ロータは、その上端周縁部がロータガイドリングで覆われるため、送出ロータが上方へ飛び出すことが抑制され、安定した送出動作が得られる。また、貯蔵容器（ホッパ）をベース部材から開くことによって、ロータガイドリングと送出ロータ部分が露出するため、内部点検やロータガイドリングと送出ロータ部分の取り外しができ、内部点検や清掃、詰まったコイン状部材や異物の取り除き等がし易くなる。また、ロータガイドリングが正規の保持状態に回動し切っていない場合でも、貯蔵容器（ホッパ）をベース部材に閉じることによって、押し圧機構部の作用によって正規の保持状態に回動するため、安定動作状態にセットできる。
【０００９】
第２発明では、第１の発明の効果に加えて、貯蔵容器（ホッパ）はロック装置によってベース部材に閉状態に保持されるため、運転中の振動等によってロータガイドリングが外れることがなく、安定した動作が得られるものとなる。また、ロータガイドリングは、回動によって係止爪部によって係止されるため、ロータガイドリングを手で回して着脱する場合と、押し圧機構部の作用によって正規の保持状態に回動する場合のいずれにも適したものとなる。
【００１０】
第３発明は、第１発明または第２発明の効果に加えて、押し圧機構部は、ロータガイドリングに設けた立ち上がり傾斜部と、貯蔵容器（ホッパ）に設けた押し圧作用部によって構成されるため、ロータガイドリングが途中のどの位置にあっても、貯蔵容器（ホッパ）を閉じることによって、ロータガイドリングを正規の保持位置へ回動させることができ、常に安定状態にセットできるものとなる。
【発明を実施するための最良の形態】
【００１１】
本発明のコイン状部材送出装置は、ベース部材上にコイン状部材の貯蔵容器（ホッパ）を設け、複数の分離孔を形成して前記ベース部材上に配置した送出ロータの回転によって、前記貯蔵容器（ホッパ）に収容したコイン状部材を１枚ずつ送出するコイン状部材送出装置において、前記送出ロータは前記ベース部材を貫通する電動機装置の回転軸の先端部に着脱可能に取り付けられ、前記送出ロータの上端周縁部を覆うようにロータガイドリングが前記ベース部材に回動にて着脱可能に保持され、前記貯蔵容器（ホッパ）が前記ベース部材に回動にて開閉可能に組み合わされ、前記貯蔵容器（ホッパ）と前記ロータガイドリングは、前記貯蔵容器（ホッパ）が前記ベース部材に対して開いた状態から閉じる状態に回動されるとき、前記ロータガイドリングを正規の保持状態に押して回動させる押し圧機構部を備えたものであり、本発明の実施例を以下に記載する。
【実施例１】
【００１２】
次に、本発明の実施の形態について説明する。図１は本発明に係るコイン状部材送出装置の分解斜視図、図２は本発明に係るコイン状部材送出装置を備えた遊技機の開扉正面図、図３は本発明に係るコイン状部材送出装置の斜視図、図４は本発明に係るコイン状部材送出装置の一部断面の側面図、図５は本発明に係るコイン状部材送出装置のロータガイドリングの係止前の状態を示す上面図、図６は本発明に係るコイン状部材送出装置のロータガイドリングの係止状態を示す上面図、図７は本発明に係るコイン状部材送出装置の送出ロータとロータガイドリングの関係を示す断面図、図８は本発明に係るコイン状部材送出装置の送出部のカバーを外した斜視図、図９は本発明に係るコイン状部材送出装置の送出部のカバーを外した上面図、図１０は本発明に係る送出ロータの分離孔部分の裏側斜視図、図１１は本発明に係る送出ロータの分離孔部分の側面図、図１２は本発明に係るコイン状部材の検出部の斜視図、図１３は本発明に係る検出部の検出位置の説明図、図１４は貯蔵容器（ホッパ）をベース部材４に対して開いた状態の側面図、図１５は貯蔵容器（ホッパ）をベース部材に対して開いた状態のヒンジ部を断面で示す説明図、図１６は貯蔵容器（ホッパ）をベース部材に閉じた状態の側面図、図１７は貯蔵容器（ホッパ）をベース部材４に閉じた状態のヒンジ部を断面で示す説明図、図１８は押し圧機構部の分解斜視図、図１９はロック装置の動作構成図、図２０はロック装置の可動ロック部材の斜視図、図２１はロック装置の軸支持部の構成図、図２２はロック装置による動作状態を示す説明図、図２３はフック機構の構成図である。
【００１３】
本発明の実施形態を図に基づき説明する。１は硬貨、遊技用メダル等のコイン状部材１００を使用して遊技するための遊技機であり、図２に示すものは、コイン状部材（遊技用メダル）１００を使用するスロットマシンやパチスロ機である遊技機１の扉を開いた状態の正面図である。遊技機１内には、遊技機１で使用するコイン状部材（遊技用メダル）１００を収納し、必要に応じて所定数のコイン状部材（遊技用メダル）１００を送出する機能のコイン状部材送出装置２が設置されている。
【００１４】
コイン状部材送出装置２は以下の構成をなす。即ち、金属製の架台３の上には、合成樹脂製のベース部材４が複数箇所をネジ６によって取り付けられ、ベース部材４上には、円形状のコイン状部材１００を収納する収容部５を形成する合成樹脂製の貯蔵容器（ホッパ）５Ｐが、ベース部材４に対してロック装置４４によって着脱自在に保持されている。貯蔵容器（ホッパ）５Ｐは、上面と下面にそれぞれ開口５Ａ、５Ｂを有し、下面開口５Ｂは略円形をなす。この下面開口５Ｂに対応してベース部材４上には、複数の分離孔１０を形成した合成樹脂製の送出ロータ７が配置され、送出ロータ７は、ベース部材４の下側に取り付けた電動機装置８からベース部材４を貫通した回転軸９の先端部に取り付けられている。
【００１５】
送出ロータ７は、回転軸９の先端部の非円形部９Ａに上方から挿入によって取り付けられ、引き抜きによって取り外しできるように、回転軸９の先端部に着脱可能に取り付けられている。この送出ロータ７は、回転軸９に取り付けられた状態において、図７に示すように、ベース部材４の上面に形成した円形状の窪み４Ａに配置され、窪み４Ａの表面から若干離れた状態で電動機装置８によってＲ方向へ回転する構成である。送出ロータ７の上端周縁部を覆うように、送出ロータ７の上面周縁部と周囲面と若干の間隔を存してロータガイドリング２０が設けられている。ロータガイドリング２０は、窪み４Ａを取り囲むように窪み４Ａよりも高い位置に形成した円形状の段部４Ｂに載置され、ベース部材４に形成した係止爪部２１によってベース部材４の所定位置に保持される。ロータガイドリング２０は、送出ロータ７の上面周縁部を覆うリング部２０Ａから外方へ広がるように傾斜したリング部２０Ｂを形成しており、貯蔵容器（ホッパ）５Ｐの円形状の下面開口５Ｂが、リング部２０Ａ、２０Ｂに沿うように、貯蔵容器（ホッパ）５Ｐがベース部材４に取り付けられる。
【００１６】
送出ロータ７が回転軸９の先端部に取り付けられて窪み４Ａに配置された状態で、図５に示すように、ロータガイドリング２０の周縁部に形成した切り欠き２０Ｃを係止爪部２１に対応させるように、ロータガイドリング２０を段部４Ｂに載置し、この状態で図５において、ロータガイドリング２０を時計方向へ回動させることによって、図６に示すように、ロータガイドリング２０が係止爪部２１の下側に潜り込んで係止されると共に、ロータガイドリング２０の端部２０Ｄが、ベース部材４に形成したストッパ段部２２に当接して、ロータガイドリング２０が所定位置に保持される。このような作業手順とは逆の操作によって、ロータガイドリング２０をベース部材４から取り外すことができる。
【００１７】
貯蔵容器（ホッパ）５Ｐとベース部材４の取り付け関係は、以下の構成である。即ち、貯蔵容器（ホッパ）５Ｐの下部後部とベース部材４の上部後端部とはヒンジ機構６０を構成している。このヒンジ機構６０は、ベース部材４の上部後端に下方に向けて屈曲した係止部６１を備え、貯蔵容器（ホッパ）５Ｐの下部後部には、下方へ延びた左右の脚６２で支えられた係止部６２が形成されており、図１６に示すように、ベース部材４に対して貯蔵容器（ホッパ）５Ｐが正規の組み合わせ状態において、図１７に示すように係止部６１が左右の脚６２Ａ間に入り込んで、係止部６１と係止部６２が係合している。この場合、貯蔵容器（ホッパ）５Ｐとベース部材４の前部分は、貯蔵容器（ホッパ）５Ｐから下方に突出した円筒状の係止部６３が、ベース部材４の底部から上方へ突出した一対の弾性係止片６４Ａ、６４Ａを押し広げて嵌合するフック機構６５によって結合した状態である。
【００１８】
このように、貯蔵容器（ホッパ）５Ｐとベース部材４は、後部はヒンジ機構６０によって回動可能に結合し、前部はフック機構６５によって結合している。この結合状態において、図１４に示すように、貯蔵容器（ホッパ）５Ｐの前部をベース部材４から強く引き離す作用力を加えることによって、フック機構６５が外れてヒンジ機構６０を軸として貯蔵容器（ホッパ）５Ｐが、ベース部材４から上方ＡＵ方向に回動にて開く。そして、図１５に示すように所定の回動を越えた開放位置において、貯蔵容器（ホッパ）５Ｐを後方ＢＢ方向へ移動させることによって、ベース部材４から係止部６２が係止部６1から外れた状態となり、貯蔵容器（ホッパ）５Ｐとベース部材４が分離できる。また、貯蔵容器（ホッパ）５Ｐをベース部材４に閉じて結合させる場合は、上記の操作とは逆の操作によって達成できる。即ち、貯蔵容器（ホッパ）５Ｐを図１４の状態でもって矢印ＢＦ方向へ移動させて図１５のように、係止部６２を係止部６1に下側に潜り込ませた係合状態とし、この状態において、ヒンジ機構６０を軸として貯蔵容器（ホッパ）５Ｐを下方ＡＡ方向へ回動させ、貯蔵容器（ホッパ）５Ｐの前部を下方へ強く押し圧することによって、係止部６３が一対の弾性係止片６４Ａ、６４Ａを押し広げて嵌合し、貯蔵容器（ホッパ）５Ｐとベース部材４が結合される。
【００１９】
このような貯蔵容器（ホッパ）５Ｐとベース部材４の結合を安定保持するために、ロック装置４４を設けている。このロック装置４４は、図１９乃至図２２に示すように、ベース部材４の側面には窪み形成したロック室６６が形成され、ロック室６６にはベース部材４から架台３に至る支持軸６７に可動ロック部材６８が回転可能に支持されている。またロック室６６には、ベース部材４の開口６９を通して貯蔵容器（ホッパ）５Ｐの係止片７０が延びている。この構成において、図１９に示すように、一点鎖線状態の可動ロック部材６８をロック室６６に入り込むように点線状態へ回動させる。係止片７０は弾性を有するため、図２２に示すように可動ロック部材６８の作用片７１の先端部が係止片７０を押し退けつつ可動ロック部材６８が回動し、その回動が最終位置に達したとき、係止片７０は弾性復帰して図１９に点線で示すように、作用片７１の壁面と係止片７０の壁面が面接触状態となって安定し、ロック状態を保持する。
【００２０】
このロック状態の解除は、ロック室６６の切り欠き７２から可動ロック部材６８の操作部６８Ａを指で強く引っ張ることによって、可動ロック部材６８が係止片７０の弾性に抗して回動して、図１９に示す一点鎖線状態に開くことができる。この状態で上記のように、貯蔵容器（ホッパ）５Ｐの前部をベース部材４から強く引き離す作用力を加えることによって、フック機構６５が外れて貯蔵容器（ホッパ）５Ｐをベース部材４から取り外すころができる。また、上記のように、ロータガイドリング２０はベース部材４から取り外すことができ、送出ロータ７は回転軸９から取り外すことができるため、コイン状部材１００や異物が詰まった場合の取り除きや、ベース部材４、貯蔵容器（ホッパ）５Ｐ、送出ロータ７、ロータガイドリング２０、その他の部分の清掃や修理、点検などがし易くなる。
【００２１】
送出ロータ７は、同心円上に複数の分離孔１０（図示のものは６個の分離孔を有する）を略等間隔に配置した円盤状をなし、各分離孔１０は、コイン状部材１００の直径よりも若干大きい直径でもって送出ロータ７を上下に円形状に貫通し、上側周縁部には回転方向Ｒの下流側に向かって下向きの傾斜状に広がった案内面１１を形成している。また、各分離孔１０の下側周縁部には、送出ロータの周縁に臨む開放出口１０Ａを形成し、この開放出口１０Ａの回転方向Ｒの下流側には、送出ロータ７の周縁へ延びる流線型の押し出し壁１２を形成している。この構成によって、送出ロータ７の回転によって、貯蔵容器（ホッパ）５Ｐのコイン状部材１００は、１枚ずつ分離して分離孔１０に順次入り込み、分離孔１０の底部に入り込んだコイン状部材１００は、送出ロータ７の回転に伴ってベース部材４の上面を滑りつつ、押し出し壁１２によって、ベース部材４の上面に形成した送出部１３へ向けて、開放出口１０Ａから送出ロータ７の外方へ押し出される仕組みである。
【００２２】
送出ロータ７の回転に伴って送出ロータ７の外方へ押し出されたコイン状部材１００は、コイン状部材通路を構成する送出部１３へ入る。送出部１３の入口部には、送出ロータ７から外方へ押し出されたコイン状部材１００が最初に通過する位置に、コイン状部材１００の直径よりも若干小さい間隔を存して、固定側壁１５と可動体１６が配置されている。送出ロータ７の回転に伴って分離孔１０の底部に入り込んだコイン状部材１００は、開放出口１０Ａから送出ロータ７の外方へ移動して、固定側壁１５の内側の傾斜面１５Ｂに当接し、押し出し壁１２によって押されて回転しつつ押し出される。送出ロータ７の外方へ押し出されたコイン状部材１００は、送出部１３へ入り、送出部１３をＹ１方向に通って、送出装置２の側面に形成した送出口１４から送出される。送出口１４から送出されるコイン状部材１００は、遊技機１の前面に設けた受け皿１Ａへ供給され、遊技客による次の遊技に使用可能となる。送出部１３の通路幅Ｔ１は、固定側壁１５の先端の直線部１５Ａとその対面側に固定側壁１５と並行に配置した固定側壁２６との間隔で形成される。この通路幅Ｔ１は、コイン状部材１００が円滑に移動できるように、コイン状部材１００の直径よりも若干大きい寸法に定めている。
【００２３】
固定側壁１５は、送出部１３の入口側に送出ロータ７の回転方向（Ｒ）手前側に送出ロータ７から送出されるコイン状部材１００が当接する位置に設けられており、耐磨耗性を考慮して金属製とし、実施例ではステンレススチールで構成している。可動体１６は、固定側壁１５に対して送出ロータ７の回転方向（Ｒ）前方側に位置し、コイン状部材１００によって押し圧作動されるようにバネ１７で付勢された状態に設けられている。可動体１６は、Ｌ字状の可動アーム１９に立設した軸１９Ａに回転可能に取り付けた円筒体１６Ａで構成され、可動アーム１９は、ベース部材４の下側に中央部を回転可能に軸支持１８されると共に、他端部が復帰作用バネ１７の引っ張り力によって引っ張られており、この状態で、可動体１６は固定側壁１５との間にコイン状部材１００の直径よりも若干小さい間隔を維持している。
【００２４】
このため、送出ロータ７の外方へ押し出されるコイン状部材１００は、この固定側壁１５と可動体１６の間に到達した際、図９に示すように、可動体１６をバネ１７の引っ張り力に抗して１６Ａの状態に押し退けつつ進み、コイン状部材１００の直径部が通過したとき、バネ１７の引っ張り力によって復帰する可動体１６によって、送出口１４方向へ弾き飛ばされる。この弾き飛ばされたコイン状部材１００は、固定側壁２６側から送出部１３に臨むように配置した検出部２３を通過して、送出口１４から送出される。検出部２３は、発光部２４Ａと受光部２５Ａ、及び発光部２４Ｂと受光部２５Ｂの二組で構成されており、コイン状部材１００が検出部２３を通過するとき、発光部２４Ａから受光部２５Ａへ到達する光通路、及び発光部２４Ｂから受光部２５Ｂへ到達する光通路が遮られることによって、コイン状部材１００の通過枚数を電装ボックス３８内に設けた制御部の計数部（図示せず）によって計数する仕組みである。
【００２５】
検出部２３における検出位置は、コイン状部材１００の直径を外れた部位での検出としている。即ち、送出ロータ７から送出されるコイン状部材１００が連なって送出される場合にも、１枚ずつの検出ができるようにするために、発光部２４Ａ、２４Ｂから受光部２５Ａ、２５Ｂへ至るそれぞれの光通路は、送出されるコイン状部材１００の直径部位ではなく、直径部位から外れた位置、即ち、コイン状部材１００の直径よりも短い部位での検出としている。即ち、図１３に示すように、円形状のコイン状部材１００の中心ＣＨを通る直径部位から固定側壁２６側に寄った位置ＡＨとＢＨで検出するように、それぞれ発光部２４Ａから受光部２５Ａへ至る光通路と、発光部２４Ｂから受光部２５Ｂへ至る光通路を定めている。また、検出部２３は、一つの発光部２４Ａと一つの受光部２５Ａのみでもよいが、発光部２４Ａと受光部２５Ａ、及び発光部２４Ｂと受光部２５Ｂの二組で構成したのは、上記のように検出精度を上げると共に、悪戯対策である。即ち、コイン状部材１００がＹ１方向に通った場合の検出パルスを計数信号として制御部で採用し、悪戯によってＹ１方向と反対方向にコイン状部材１００が押し込まれて通過した場合の検出パルスを不採用とすることによって、悪戯によって誤った計数がされないようにしている。
【００２６】
検出部２３は、発光部２４Ａと受光部２５Ａの組み合わせ位置、及び発光部２４Ｂと受光部２５Ｂの組み合わせ位置を正確にするために、図１２に示すように、発光部２４Ａ、２４Ｂと受光部２５Ａ、２５Ｂとを合成樹脂ホルダ２３Ａ内に収めた構成である。合成樹脂ホルダ２３Ａは略コ字形をなし、その上辺２３Ａ１に発光部２４Ａ、２４Ｂが送出部１３に上方から臨むように、上手側（上流側）と下手側（下流側）の配置で内蔵され、合成樹脂ホルダ２３Ａの下辺２３Ａ２には、受光部２５Ａ、２５Ｂが送出部１３に下方から臨むように、上手側（上流側）と下手側（下流側）の配置で内蔵されている。そして、合成樹脂ホルダ２３Ａの発光部２４Ａ、２４Ｂから受光部２５Ａ、２５Ｂに至るそれぞれの光通路部分は、透明資材で構成された透明部２３Ｂを形成している。合成樹脂ホルダ２３Ａはネジ４６によって、ベース部材４上に取り付けている。検出部２３をこのような受光量の変化によって検知する方式に替えて、コイン状部材１００が通過することによって生じる電気量（静電容量、誘起起電力、周波数など）の変化や又は磁気量の変化などを計測するものでもよい。
【００２７】
送出部１３と検出部２３の部分は、合成樹脂製のカバー３２によって覆われている。カバー３２は、ベース部材４の上面に形成した係止部３３の下側に潜り込んで係止され、他端側はネジ３４によってベース部材４にネジ止めされる。このカバー３２の下面３２Ａと送出部１３の上面１３Ａとの間隔Ｔ２が、コイン状部材１００の厚さよりも若干大きい寸法になっている。これによって、固定側壁１５と固定側壁２６の間隔Ｔ１（コイン状部材１００の直径方向の間隔）と、このカバー３２の下面３２Ａと送出部１３の上面１３Ａとの間隔Ｔ２（コイン状部材１００の厚さ方向の間隔）との間が、送出部１３のコイン状部材通路の大きさである。そして、この送出部１３のコイン状部材通路の出口が、コイン状部材１００の送出口１４となる。
【００２８】
ロータガイドリング２０は、上記のように、図５に示す状態から回動させて図６に示すように、ロータガイドリング２０が係止爪部２１の下側に潜り込んで係止されるのが正規の状態であるが、もし、この正規の状態にセットされず、その途中又は図５の状態で、上記のように貯蔵容器（ホッパ）５Ｐをベース部材４に結合した場合、ロータガイドリング２０の保持が不十分か保持されない状態となり、その状態で、電動機装置８が運転されて送出ロータ７が回転した場合は、送出ロータ７が上方へ移動し、コイン状部材１００の正規の送出動作が得られず、送出ロータ７の破損が生じる懸念がある。
【００２９】
本発明では、このような事態を防ぐために、ロータガイドリング２０の保持が十分な状態となるようにするものである。即ち、ロータガイドリング２０が正規の状態へ回動されていない場合には、貯蔵容器（ホッパ）５Ｐをベース部材４に結合する際、貯蔵容器（ホッパ）５Ｐによってロータガイドリング２０を正規の保持状態に押して回動させる押し圧機構部７５を設けている。この押し圧機構部７５は、ロータガイドリング２０の外周縁部に横に延びた位置から立ち上がった立ち上がり傾斜部７３を形成し、貯蔵容器（ホッパ）５Ｐの下側には押し圧作用部７４を設けた構成である。そして、ロータガイドリング２０が正規の状態へ回動されていない場合は、ヒンジ機構部６０を軸として貯蔵容器（ホッパ）５Ｐがベース部材４に向けて回動する際、押し圧作用部７４が立ち上がり傾斜部７３を押して、ロータガイドリング２０を回動させ、係止爪部２１の下側に潜り込んで係止される正規の状態に回動させる関係とする。これによって、ロータガイドリング２０を正規の状態にセットし忘れても、貯蔵容器（ホッパ）５Ｐをベース部材４に結合することによって、自動的にロータガイドリング２０を正規の状態にセットでき、常にコイン状部材１００の正規の送出動作を得ることができるものとなる。
【００３０】
静電気除去のために、合成樹脂製ホルダ２３Ａを導電性合成樹脂ホルダとし、このホルダ２３Ａをアース線でアース側である金属製の架台３に接続するか、金属製の架台３にネジ込まれる導電性ネジ４６によって、ホルダ２３Ａをベース部材４上に取り付ける構成によって、ホルダ２３Ａが静電気を帯びても、発光部２４Ａ、２４Ｂ又は受光部２５Ａ、２５Ｂが、それによって悪影響を受けないようにしている。
【００３１】
また、コイン状部材１００が帯びた静電気を逃がすようにするために、固定側壁１５と固定側壁２６を導電性部材で構成し、これらを導電性のステンレススチールで構成している。固定側壁２６は、その基部をネジ６、３５によってベース部材４の上面に取り付けている。そして、このネジ６と３５の少なくとも一方が導電性ネジであり、これが金属製の架台３にネジ止めされる構成によって、固定側壁２６はアース側である金属製の架台３に電気的に接続される。また、コイン状部材１００が帯びた静電気を逃がす構成として、固定側壁１５が、金属製の架台３にネジ止めされる導電性ネジ３１によって、ベース部材４の上面に取り付けられ、固定側壁１５からも静電気を逃がすようにしている。更に、コイン状部材１００が帯びた静電気を逃がす構成として、送出ロータ７の分離孔１０に侵入したコイン状部材１００が接触する位置に静電気を逃がす導電部材３０を配置し、導電部材３０は、ベース部材４の係止部にかぎ状に係止する係止部３０Ａ、３０Ｂを一端部と中間部に形成し、他端部は固定側壁１５の下側に重なった状態で、固定側壁１５と共に導電性ネジ３１によって金属製の架台３と電気的接続状態にベース部材４上に固定されている。
【００３２】
金属製の架台３は、導電性ネジ３７によって遊技機１の金属壁に固定される。このため帯電していたコイン状部材１００の静電気は、導電部材３０、固定側壁１５、固定側壁２６と導電性ネジ３１、３５、６を通して金属製架台３に伝わり、架台３から遊技機１の金属壁へ逃げるため、検出部２３における正規の検出動作が達成される。なお、遊技機１の金属壁をアース線でもってアースすれば好ましい状態となる。
【００３３】
コイン状部材送出装置２の電動機装置８の給電ラインや制御ライン、検出部２３の制御ラインなどの電気ラインは、遊技機１に設けた電装ボックス３８とコイン状部材送出装置２とを結ぶリード線３９でもって形成されている。なお、コイン状部材送出装置２は、メンテナンスなどの際に引き出し易いように、金属製架台３の前壁に引き出し用取っ手８０を備えている。
【００３４】
遊技機１のコイン状部材挿入口へ挿入されたコイン状部材１００は、選別計数装置４０を経てガイド樋４１から立った状態で転動しつつ、貯蔵容器（ホッパ）５Ｐの入口開口５Ｅから貯蔵容器（ホッパ）５Ｐ内へ収容される。貯蔵容器（ホッパ）５Ｐには、入口開口５Ｅからオーバーフロー出口５Ｘに向けて、オーバーフローガイド部材４２が低く傾斜設置されている。貯蔵容器（ホッパ）５Ｐがコイン状部材１００で満杯になったときは、ガイド樋４１から供給されるコイン状部材１００は、その満杯のコイン状部材１００上に供給され、その上を滑ってオーバーフローガイド部材４２上に載り、オーバーフローガイド部材４２上を滑ってオーバーフロー出口５Ｘから回収ボックス３６へ収納される。
【産業上の利用可能性】
【００３５】
本発明は、上記実施形態に限定されず、本発明の技術的範囲を逸脱しない限り種々の変更が考えられ、それに係る種種の実施形態を包含するものである。
【図面の簡単な説明】
【００３６】
【図１】本発明に係るコイン状部材送出装置の分解斜視図である。（実施例１）
【図２】本発明に係るコイン状部材送出装置を備えた遊技機の開扉正面図である。（実施例１）
【図３】本発明に係るコイン状部材送出装置の斜視図である。（実施例１）
【図４】本発明に係るコイン状部材送出装置の一部断面の側面図である。（実施例１）
【図５】本発明に係るコイン状部材送出装置のロータガイドリングの係止前の状態を示す上面図である。（実施例１）
【図６】本発明に係るコイン状部材送出装置のロータガイドリングの係止状態を示す上面図である。（実施例１）
【図７】本発明に係るコイン状部材送出装置の送出ロータとロータガイドリングの関係を示す断面図である。（実施例１）
【図８】本発明に係るコイン状部材送出装置の送出部のカバーを外した斜視図である。（実施例１）
【図９】本発明に係るコイン状部材送出装置の送出部のカバーを外した上面図である。（実施例１）
【図１０】本発明に係る送出ロータの分離孔部分の裏側斜視図である。（実施例１）
【図１１】本発明に係る送出ロータの分離孔部分の側面図である。（実施例１）
【図１２】本発明に係るコイン状部材の検出部の斜視図である。（実施例１）
【図１３】本発明に係る検出部の検出位置の説明図である。（実施例１）
【図１４】本発明に係る貯蔵容器（ホッパ）をベース部材に対して開いた状態の側面図である。（実施例１）
【図１５】本発明に係る貯蔵容器（ホッパ）をベース部材に対して開いた状態のヒンジ部を断面で示す説明図である。（実施例１）
【図１６】本発明に係る貯蔵容器（ホッパ）をベース部材４に閉じた状態の側面図である。（実施例１）
【図１７】本発明に係る貯蔵容器（ホッパ）をベース部材４に閉じた状態のヒンジ部を断面で示す説明図である。（実施例１）
【図１８】本発明に係る押し圧機構部の分解斜視図である。（実施例１）
【図１９】本発明に係るロック装置の動作構成図である。（実施例１）
【図２０】本発明に係るロック装置の可動ロック部材の斜視図である。（実施例１）
【図２１】本発明に係るロック装置の軸支持部の構成図である。（実施例１）
【図２２】本発明に係るロック装置による動作状態を示す説明図である。（実施例１）
【図２３】本発明に係るフック機構の構成図である。（実施例１）
【符号の説明】
【００３７】
１・・・・遊技機
２・・・・コイン状部材送出装置
３・・・・金属製の架台
４・・・・ベース部材
４Ａ・・・窪み
５・・・・コイン状部材の収容部
５Ｐ・・・貯蔵容器（ホッパ）
７・・・・送出ロータ
８・・・・電動機装置
９・・・・回転軸
１０・・・分離孔
１３・・・送出部
１４・・・送出口
１５・・・固定側壁（導電性側壁）
１６・・・可動体
１７・・・バネ
２０・・・ロータガイドリング
２０Ａ・・ロータガイドリングのリング部
２０Ｃ・・切り欠き
２１・・・係止爪部
２３・・・検出部
２４Ａ、２４Ｂ・・・発光部
２５Ａ、２５Ｂ・・・受光部
２６・・・固定側壁
３０・・・導電部材
３１・・・導電性ネジ
３５・・・導電性ネジ
４４・・・ロック装置
６６・・・ロック室
６７・・・支持軸
６８・・・可動ロック部材
６９・・・開口
７０・・・係止片
７１・・・可動ロック部材の作用片
７３・・・傾斜部
７４・・・押し圧作用部
７５・・・押し圧機構部
１００・・コイン状部材
【図１】
2007206867.tif 000003
【図２】
2007206867.tif 000004
【図３】
2007206867.tif 000005
【図４】
2007206867.tif 000006
【図５】
2007206867.tif 000007
【図６】
2007206867.tif 000008
【図７】
2007206867.tif 000009
【図８】
2007206867.tif 000010
【図９】
2007206867.tif 000011
【図１０】
2007206867.tif 000012
【図１１】
2007206867.tif 000013
【図１２】
2007206867.tif 000014
【図１３】
2007206867.tif 000015
【図１４】
2007206867.tif 000016
【図１５】
2007206867.tif 000017
【図１６】
2007206867.tif 000018
【図１７】
2007206867.tif 000019
【図１８】
2007206867.tif 000020
【図１９】
2007206867.tif 000021
【図２０】
2007206867.tif 000022
【図２１】
2007206867.tif 000023
【図２２】
2007206867.tif 000024
【図２３】
2007206867.tif 000025